(57)【特許請求の範囲】
【請求項１】
矩形板状の表示ディスプレイと、
上記表示ディスプレイを収容するディスプレイ収容部を有する筐体と、
上記表示ディスプレイが上記ディスプレイ収容部に収容された状態で該表示ディスプレイを密閉状に覆う透明カバーとを有する携帯端末であって、
上記ディスプレイ収容部の周縁部に貼り付けられる枠状の両面テープは、少なくとも２つ以上に分割され、該分割された両面テープ同士が繋ぎ合わせされた該両面テープの端部には、切欠部が形成され、
上記切欠部に対応する上記周縁部には、接着剤が塗布されており、
上記両面テープ及び接着剤により、上記透明カバーが上記筐体に密着されている
ことを特徴とする携帯端末。
【請求項２】
請求項１に記載の携帯端末において、
上記切欠部に対応する上記筐体の周縁部は、上記接着剤の流動を誘導するように表面が凹陥されている
ことを特徴とする携帯端末。
【請求項３】
請求項１又は２に記載の携帯端末において、
上記両面テープの繋ぎ合わされた端部は、段違いに切り抜かれ、
上記繋ぎ合わされた端部に形成された上記切欠部側の隙間を塞ぐように、上記接着剤が塗布されている
ことを特徴とする携帯端末。
【請求項４】
矩形板状の表示ディスプレイと、
上記表示ディスプレイを収容するディスプレイ収容部を有する筐体と、
上記表示ディスプレイが上記ディスプレイ収容部に収容された状態で該表示ディスプレイを密閉状に覆う透明カバーとを有する携帯端末の製造方法において、
少なくとも２つ以上に分割され、互いに繋ぎ合わせることで矩形枠状となる両面テープを用意し、
上記表示ディスプレイを上記ディスプレイ収容部に収容すると共に、上記両面テープを該ディスプレイ収容部の周縁部に貼り付け、
上記分割された両面テープ同士が繋ぎ合わせされた端部に形成された切欠部に対応する上記周縁部に接着剤を塗布し、
上記透明カバーを両面テープ及び接着剤の上から貼り付けて、該接着剤を流動させ、該透明カバーを上記筐体に密着させる
ことを特徴とする携帯端末の製造方法。
【請求項５】
請求項４に記載の携帯端末の製造方法において、
上記透明カバーによって押圧されたときに平面視で上記表示ディスプレイから離れる方向へ流動するように、上記接着剤を上記切欠部の各辺に対して平面視で傾斜して塗布する
ことを特徴とする携帯端末の製造方法。
【請求項６】
請求項４に記載の携帯端末の製造方法において、
上記切欠部は、矩形状であり、
上記透明カバーによって押圧されたときに平面視で上記表示ディスプレイから離れる方向へ流動するように、上記接着剤を平面視で円形に塗布する
ことを特徴とする携帯端末の製造方法。
【発明の詳細な説明】
【技術分野】
【０００１】
本発明は、矩形板状の表示ディスプレイと、この表示ディスプレイを収容するディスプレイ収容部を有する筐体と、表示ディスプレイがディスプレイ収容部に収容された状態で表示ディスプレイを密閉状に覆う透明カバーとを有する携帯端末に関するものである。
【背景技術】
【０００２】
従来より、防水式携帯電話機などの携帯端末が用いられている。表示ディスプレイを有する防水式の携帯端末においては、表示画面を大きくすることと防水性とを両立させながら見映えもよくする必要がある。
【０００３】
例えば、特許文献１のように、タッチパネルやカバーガラスを筐体に貼り付ける場合に矩形枠状の両面テープをディスプレイ収容部の周縁部に貼り付けることが行われている。具体的には、図１２及び図１３に例示するように、この携帯端末５０１は、矩形板状の表示ディスプレイと５０２、この表示ディスプレイ５０２を収容するディスプレイ収容部５０３ａを有する筐体５０３と、表示ディスプレイ５０２がディスプレイ収容部５０３ａに収容された状態で表示ディスプレイ５０２を密閉状に覆う保護パネル５０６とを有する。筐体５０３の背面側には、基板５０７とバッテリ５０８とが配置され、リアカバー５０４で覆われている。図１４に示すように筐体５０３のディスプレイ収容部５０３ａの周縁部５０３ｂに中央がくり抜かれた矩形枠状の両面テープ５０５を治具等にて貼り付け、その上から保護パネル５０６を貼り付けるようにしている。
【０００４】
また、特許文献２のように、両面テープ５０５の代わりにディスペンサーにて接着剤を枠状に筐体５０３に塗布することが行われている。具体的には、図１５及び図１６に示すように、ディスペンサーにて接着剤５１０をディスプレイ収容部５０３ａの周縁部５０３ｂに枠状に塗布し、その上から保護パネル５０６を貼り付けるようにしている。
【先行技術文献】
【特許文献】
【０００５】
【特許文献１】特開２００９−１８８４８８号公報
【特許文献２】特開２００６−２７６６２４号公報
【発明の概要】
【発明が解決しようとする課題】
【０００６】
しかしながら、特許文献１のように、両面テープを矩形枠状にするために中央部分を抜くと、中央部分の材料費が無駄となるので、両面テープの単価が高くなるという問題がある。
【０００７】
また、特許文献２のように、接着剤をディスプレイ収容部の周縁部に塗布する場合には、全周において精度の高い位置及び塗布量のコントロールが必要となる。このため、高精度な機械を導入するための初期投資が増大すると共に、工程管理が煩雑となるという問題がある。
【０００８】
本発明は、かかる点に鑑みてなされたものであり、その目的とするところは、材料費を削減しながら簡単かつ確実に防水性を確保することにある。
【課題を解決するための手段】
【０００９】
上記の目的を達成するために、この発明では、両面テープと接着剤とを組み合わせた。
【００１０】
具体的には、第１の発明では、
矩形板状の表示ディスプレイと、
上記表示ディスプレイを収容するディスプレイ収容部を有する筐体と、
上記表示ディスプレイが上記ディスプレイ収容部に収容された状態で該表示ディスプレイを密閉状に覆う透明カバーとを有する携帯端末を対象とする。
【００１１】
そして、上記携帯端末において、
上記ディスプレイ収容部の周縁部に貼り付けられる枠状の両面テープは、少なくとも２つ以上に分割され、該分割された両面テープ同士が繋ぎ合わせされた該両面テープの端部には、切欠部が形成され、
上記切欠部に対応する上記周縁部には、接着剤が塗布されており、
上記両面テープ及び接着剤により、上記透明カバーが上記筐体に密着されている。
【００１２】
上記の構成によると、両面テープは、２つ以上に分割されているので、従来のように中央部分の材料を無駄にすることはない。また、接着剤の位置及び塗布量のコントロールがテープの繋ぎ合わせ部分のみに制限されるので、塗布時間、塗布量等が低減される。
【００１３】
第２の発明では、第１の発明において、
上記切欠部に対応する上記筐体の周縁部は、上記接着剤の流動を誘導するように表面が凹陥されている。
【００１４】
上記の構成によると、接着剤が凹陥された部分に流れ込むので、簡単な構成により接着剤が両面テープ側へ乗り上げて防水性が低下することが避けられる。
【００１５】
第３の発明では、上記第１又は第２の発明において、
上記両面テープの繋ぎ合わされた端部は、段違いに切り抜かれ、
上記繋ぎ合わされた端部に形成された上記切欠部側の隙間を塞ぐように、上記接着剤が塗布されている。
【００１６】
上記の構成によると、段違い部分により、防水効果が向上した上に接着剤によって隙間部分が塞がれるので、高い防水効果が得られる。
【００１７】
第４の発明では、矩形板状の表示ディスプレイと、
上記表示ディスプレイを収容するディスプレイ収容部を有する筐体と、
上記表示ディスプレイが上記ディスプレイ収容部に収容された状態で該表示ディスプレイを密閉状に覆う透明カバーとを有する携帯端末の製造方法を対象とする。
【００１８】
そして、上記製造方法は、
少なくとも２つ以上に分割され、互いに繋ぎ合わせることで矩形枠状となる両面テープを用意し、
上記表示ディスプレイを上記ディスプレイ収容部に収容すると共に、上記両面テープを該ディスプレイ収容部の周縁部に貼り付け、
上記分割された両面テープ同士が繋ぎ合わせされた端部に形成された切欠部に対応する上記周縁部に接着剤を塗布し、
上記透明カバーを両面テープ及び接着剤の上から貼り付けて、該接着剤を流動させ、該透明カバーを上記筐体に密着させる構成とする。
【００１９】
上記の構成によると、両面テープは、２つ以上に分割されているので、従来のように中央部分の材料を無駄にすることはない。また、接着剤の位置及び塗布量のコントロールがテープの繋ぎ合わせ部分のみに制限されるので、塗布時間、塗布量等が低減される。
【００２０】
第５の発明では、第４の発明において、
上記透明カバーによって押圧されたときに平面視で上記表示ディスプレイから離れる方向へ流動するように、上記接着剤を上記切欠部の各辺に対して平面視で傾斜して塗布する構成とする。
【００２１】
上記の構成によると、接着剤の流動方向を傾斜した方向（表示ディスプレイから離れる方向）へ誘導することができるので、接着剤が両面テープに乗り上げて防水性が低下するが防止される。このため、位置公差が広がる。
【００２２】
第６の発明では、第４の発明において、
上記切欠部は、矩形状であり、
上記透明カバーによって押圧されたときに平面視で上記表示ディスプレイから離れる方向へ流動するように、上記接着剤を平面視で円形に塗布する。
【００２３】
上記の構成によると、接着剤を円形に塗布するので、塗布工程が簡易化される。
【発明の効果】
【００２４】
以上説明したように、本発明によれば、両面テープをディスプレイ収容部の周縁部に貼り付け、分割された両面テープ同士が繋ぎ合わせされた端部に形成された切欠部に接着剤を塗布し、透明カバーを両面テープ及び接着剤の上から貼り付けて接着剤を流動させて透明カバーを筐体に密着させるようにしたことにより、材料費を削減しながら簡単かつ確実に防水性を確保することができる。
【図面の簡単な説明】
【００２５】
【図１】両面テープの切欠部、接着剤及びその周辺を示す図２のＩ部拡大正面図である。
【図２】本発明の実施形態に係る携帯電話機を示す正面図である。
【図３】携帯電話機を示す分解斜視図である。
【図４】携帯電話機の製造工程の概略を示すフローチャートである。
【図５】両面テープ及び接着剤の配置の概略を示す正面図である。
【図６】図５のVI部拡大正面図であり、（ａ）が接着剤塗布前を示し、（ｂ）が接着剤塗布後を示し、（ｃ）がタッチパネル貼付後を示す。
【図７】図６の（ａ）〜（ｃ）に対応する各直線で切断した断面図である。
【図８】変形例１の携帯電話機を示す分解斜視図である。
【図９】変形例２を示す図８相当図である。
【図１０】変形例３を示す図５相当図である。
【図１１】変形例４を示す図５相当図である。
【図１２】従来技術の携帯端末を示す正面図である。
【図１３】従来技術の携帯電話機を示す分解斜視図である。
【図１４】従来技術の枠状の両面テープを貼り付ける工程を示すフローチャートである。
【図１５】従来技術の枠状の接着剤を示す正面図である。
【図１６】従来技術の枠状に接着剤を塗布する工程を示すフローチャートである。
【発明を実施するための形態】
【００２６】
以下、本発明の実施形態を図面に基づいて説明する。
【００２７】
−携帯電話機の構成−
図２及び図３は、本発明の実施形態の携帯端末としての携帯電話機１を示し、この携帯電話機１は、例えば角部の丸い矩形板状であり、内部に液晶ディスプレイなどの矩形板状の表示ディスプレイ２を備えている。表示ディスプレイ２は、筐体３の表面側に形成されたディスプレイ収容部３ａに収容されている。そして、表示ディスプレイ２が、このディスプレイ収容部３ａに収容された状態で透明カバーとしてのガラスカバー６で覆われている。表示ディスプレイ２は、ディスプレイ収容部３ａ側に嵌め込まれても、ガラスカバー６の裏面に貼り付けられていてもよく、ガラスカバー６の裏面にさらにタッチパネルが貼り付けられていてもよい。そして、このガラスカバー６により、表示ディスプレイ２が密閉状に覆われている。ディスプレイ収容部３ａの反対側（背面側）には、基板７とバッテリ８とが収容され、その背面側がリアカバー４で覆われている。
【００２８】
次にガラスカバー６の貼付構造について説明する。ディスプレイ収容部３ａの矩形枠状の周縁部３ｂには、矩形枠状に両面テープ５が貼り付けられている。本実施形態では、両面テープ５は、４つに分割されている。例えば、両面テープは、上下一対の上下部５ａと、左右一対の左右部５ｂとからなる。図１に拡大して示すように、より太い上下部５ａの左右部５ｂとの繋ぎ合わせ端部には、矩形状の切欠部５ｃが設けられている。切欠部５ｃは、左右部５ｂの繋ぎ合わせ端部にも設けてもよいが、上下部ａ側の方が隙間Ｃから遠いので、望ましい。上下部５ａの繋ぎ合わせ端部と左右部５ｂとの繋ぎ合わせ端部との間には、両者が重なって貼り付けられるのを防止するために、多少の隙間Ｃが設けられている。そして、切欠部５ｃに対応する周縁部３ｂの表面には、接着剤１０がディスペンサーなどにより塗布されており、接着剤１０は、平面視で上下部５ａ及び左右部５ｂの各辺に対して傾斜してひらがなの”く”の字状となっている。
【００２９】
そして、切欠部５ｃに対応する筐体３の周縁部３ｂにおける隙間Ｃから遠い側には、切欠部５ｃよりも小さい矩形状のガイド用凹部１１が凹陥されている。このガイド用凹部１１は、円形等でもよく、このガイド用凹部１１を設けることで、ガラスカバー６の貼付時に押さえ付けられた余分な接着剤１０が流れ込むようになっている。
【００３０】
このようにして両面テープ５及び接着剤１０により、ガラスカバー６が筐体３に密着され、筐体３の外周全体に形成した周壁３ｃとガラスカバー６との高さがほぼ同一となって見映えもよくなっている。
【００３１】
−携帯電話機の製造方法−
次に携帯電話機１の製造方法（組立手順）について図４〜図７を用いて説明する。
【００３２】
まず最初に、上記実施形態のように４つに分割され、互いに繋ぎ合わせることで矩形枠状となる両面テープ５を用意する。この段階で、表示ディスプレイ２をディスプレイ収容部３ａに収容しておいてもよいし、ガラスカバー６の裏面にタッチパネルと共に貼り付けておいてもよい。
【００３３】
次いで、図４に示すステップＳ０１において、図６（ａ）及び図７（ａ）に示すように、両面テープ５の上下部５ａ及び左右部５ｂをそれぞれディスプレイ収容部３ａの周縁部３ｂに貼り付ける。このとき、適宜両面テープ５のセパレータなどに切欠孔を設けて位置決めを行ったり、治具を用いたりすればよい。このとき、繋ぎ合わせ端部の隙間Ｃをある程度設定しておかないと、貼り合わせ時のずれなどにより、両面テープ５に重なり部分が生じて防水性能が低下してしまう。
【００３４】
次いで、ステップＳ０２において、図５、図６（ｂ）及び図７（ｂ）に示すように、分割された両面テープ５同士の繋ぎ合わせ端部に形成された切欠部５ｃに対応する周縁部３ｂ表面に接着剤１０を塗布する。具体的には、隙間Ｃのある隅角部分が最も接着剤１０との間隔があくようにし、そこから離れるにしたがって接着剤１０との間隔が小さくなるように傾斜させ、平面視でひらがなの”く”の字状にディスペンサーにて接着剤１０を塗布する。このとき、接着剤１０は立体形状で、その厚さは、両面テープ５の厚さよりも厚くなっている。
【００３５】
次いで、ステップＳ０３において、図６（ｃ）及び図７（ｃ）に示すように、ガラスカバー６を両面テープ５及び接着剤１０の上から貼り付ける。すると、両面テープ５よりも厚さのある接着剤１０が押し広げられて流動する。このとき、接着剤１０を平面視で”く”の字状に塗布しているので、表示ディスプレイ２から離れる方向へ流動する。しかも、周縁部３ｂには、矩形状のガイド用凹部１１が設けられているので、余分な接着剤１０がガイド用凹部１１に流れ込み、接着剤１０が両面テープ５側へ乗り上げるのが防止される。このため、接着剤１０に乗り上げた部分と乗り上げていない部分とで高さに差が生じて防水性が低下することはない。
【００３６】
このように、両面テープ５は、２つ以上に分割されているので、従来のように中央部分の材料を無駄にして部品コストが高くなることはない。
【００３７】
また、接着剤１０の位置及び塗布量のコントロールが、両面テープ５の繋ぎ合わせ部分のみに制限されるので、従来の矩形状に接着剤を塗布する場合のように長い塗布時間を必要とせず、塗布量も低減され、製造コストが格段に減る。
【００３８】
したがって、本実施形態に係る携帯端末によると、材料費を削減しながら簡単かつ確実に防水性を確保することができる。
【００３９】
−変形例１−
図８は本発明の実施形態の変形例１を示し、両面テープ１０５の構成が異なる点で上記実施形態と異なる。なお、以下の各変形例では、図１〜図７と同じ部分については同じ符号を付してその詳細な説明は省略する。
【００４０】
図８に示すように、両面テープ１０５を２つに分割してもよい。この場合、一対の分割部１０５ａは、それぞれ平面視Ｌ字状である。切欠部１０５ｃは、２箇所となるので、接着剤１０及びガイド用凹部１１も２箇所ずつですむ。この場合でも、両面テープ１０５の中央部分に無駄が生じず、経済的に有利である。上記実施形態に比べてＬ字状でより大きいことから、分割部１０５ａがより高い位置決め精度を要求されるが、部品点数が減り、接着剤１０の塗布箇所が２箇所に減るので、製造コスト面で有利である。
【００４１】
−変形例２−
図９は本発明の実施形態の変形例２を示し、両面テープ２０５の構成が異なる点で上記実施形態と異なる。
【００４２】
図９に示すように、両面テープ２０５を２つに分割してもよい。この場合、第１分割部２０５ａは、平面視Ｕ字状であり、第２分割部２０５ｂは、直線状となっている。切欠部２０５ｃは、２箇所となるので、接着剤１０及びガイド用凹部１１も２箇所ずつですむ。この場合でも、両面テープ２０５の中央部分に無駄が生じず、経済的に有利である。上記実施形態よりも、特にＵ字状の第１分割部２０５ａの高い位置決め精度を要求されるが、部品点数が減り、接着剤１０の塗布箇所が２箇所に減るので、製造コスト面で有利である。
【００４３】
−変形例３−
図１０は本発明の実施形態の変形例３を示し、接着剤３１０の構成が異なる点で上記実施形態と異なる。
【００４４】
図１０に示すように、接着剤３１０の塗布方法を、平面視で”く”の字状にするのではなく、平面視で円形、立体的には略球形としてもよい。この場合、隙間Ｃ部分から間隔をあけて円形に接着剤が広がるので、隙間Ｃの近傍で接着剤が乗り上げにくくなる。
【００４５】
−変形例４−
図１１は本発明の実施形態の変形例４を示し、両面テープ４０５の構成が異なる点で上記実施形態と異なる。
【００４６】
図１１に示すように、両面テープ４０５の繋ぎ合わされた端部を段違いに切り抜いてもよい。例えば、略Ｃ字状の分割部４０５ａの先端に段違い部４０５ｂを設けることで、両面テープ４０５による防水性が向上する。そして、繋ぎ合わせ端部に形成された矩形状の切欠部４０５ｃに対応する周縁部３ｂ表面に隙間Ｃを上下外側から塞ぐように、接着剤１０が”く”の字状に塗布されている。このように構成することで、段違い部４０５ｂにより、防水効果が向上した上に接着剤４１０によって隙間Ｃが確実に塞がれるので、高い防水効果が得られる。
【００４７】
（その他の実施形態）
本発明は、上記実施形態について、以下のような構成としてもよい。
【００４８】
すなわち、上記実施形態では、携帯端末は、携帯電話機１としたが、表示ディスプレイを有するものであれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００４９】
なお、以上の実施形態は、本質的に好ましい例示であって、本発明、その適用物や用途の範囲を制限することを意図するものではない。
【産業上の利用可能性】
【００５０】
以上説明したように、本発明は、矩形板状の表示ディスプレイと、この表示ディスプレイを収容するディスプレイ収容部を有する筐体と、表示ディスプレイがディスプレイ収容部に収容された状態で表示ディスプレイを密閉状に覆う透明カバーとを有する携帯電話機などの携帯端末について有用である。
【符号の説明】
【００５１】
１      携帯電話機（携帯端末）
２      表示ディスプレイ
３      筐体
３ａ    ディスプレイ収容部
３ｂ    周縁部
４      リアカバー
５      両面テープ
５ａ    上下部
５ｂ    左右部
５ｃ    切欠部
６      ガラスカバー
７      基板
８      バッテリ
１０      接着剤
１１      ガイド用凹部
１０５      両面テープ
１０５ａ    分割部
１０５ｃ    切欠部
２０５      両面テープ
２０５ａ    第１分割部
２０５ｂ    第２分割部
２０５ｃ    切欠部
３１０      接着剤
４０５      両面テープ
４０５ａ    分割部
４０５ｂ    段違い部
４０５ｃ    切欠部
【図１】
0005863572.tif 000002
【図２】
0005863572.tif 000003
【図３】
0005863572.tif 000004
【図４】
0005863572.tif 000005
【図５】
0005863572.tif 000006
【図６】
0005863572.tif 000007
【図７】
0005863572.tif 000008
【図８】
0005863572.tif 000009
【図９】
0005863572.tif 000010
【図１０】
0005863572.tif 000011
【図１１】
0005863572.tif 000012
【図１２】
0005863572.tif 000013
【図１３】
0005863572.tif 000014
【図１４】
0005863572.tif 000015
【図１５】
0005863572.tif 000016
【図１６】
0005863572.tif 000017